【事件の表示】
　特許第２９４２５１６号「施肥装置付き乗用型田植機」の特許に対する特許異議の申立てについて、次のとおり決定する。
【結　論】
　訂正を認める。
　特許第２９４２５１６号の特許を維持する。
【理　由】
（１）手続の経緯
　特許第２９４２５１６号に係る発明についての出願は、昭和５８年４月３０日に出願した実願昭５８ー６６１２３号を平成１年１１月３０日に特許出願に変更した特願平１−３１２８０３号の一部を平成７年２月１３日に新たな特許出願とした特願平７−２３２５１号の一部を平成９年４月１８日に新たな特許出願としたものであって、平成１１年６月１８日にその発明について特許の設定登録がなされ、その後、その特許について、異議申立人三菱農機株式会社により特許異議の申立てがなされ、取消理由通知がなされ、その指定期間内である平成１２年８月２日に訂正請求がなされたものである。
（２）訂正の適否についての判断
ア．訂正の内容
（ａ）特許明細書の【特許請求の範囲】の、「１．田植装置を走行車体に装着した乗用型田植機に施肥装置を取り付けた施肥装置付き乗用型田植機において、走行車体から取り出した動力を田植装置へ伝達する伝動経路から施肥装置への伝動経路を分岐させた構成とし、該分岐後の施肥装置への伝動経路に、施肥装置を田植装置と共に駆動して施肥作業を田植作業と共に行う状態と施肥装置は駆動しないで田植装置を駆動して施肥作業をしないで田植作業をする状態とに切り替えるクラッチを設けたことを特徴とする施肥装置付き乗用型田植機。」を、「１．田植装置を走行車体に上下動可能に装着した乗用型田植機に施肥装置を走行車体に取り付けた施肥装置付き乗用型田植機において、走行車体から取り出した動力を走行車体に軸受け支持した伝動軸と該伝動軸から自在継手を介して伝動される田植装置の入力軸とを介して田植装置へ伝達する伝動経路にあって前記伝動軸から施肥装置への伝動経路を分岐させた構成とし、該伝動軸から分岐させた後の施肥装置への伝動経路に、施肥装置を田植装置と共に駆動して施肥作業を田植作業と共に行う状態と施肥装置は駆動しないで田植装置を駆動して施肥作業をしないで田植作業をする状態とに切り替えるクラッチを設けたことを特徴とする施肥装置付き乗用型田植機。」と訂正する。
（ｂ）明細書の段落０００４の、「【課題を解決するための手段】この発明は、上記課題を解決するために、田植装置を走行車体に装着した　乗用型田植機に施肥装置を取り付けた施肥装置付き乗用型田植機において、走行車体から取り出した動力を田植装置へ伝達する伝動経路から施肥装置への伝動経路を分岐させた構成とし、該分岐後の施肥装置への伝動経路に、施肥装置を田植装置と共に駆動して施肥作業を田植作業と共に行う状態と施肥装置は駆動しないで田植装置を駆動して施肥作業をしないで田植作業をする状態とに切り替えるクラッチを設けたことを特徴とする施肥装置付き乗用型田植機としたものである。」を、「【課題を解決するための手段】この発明は、上記課題を解決するために、田植装置を走行車体に上下動可　能に装着した乗用型田植機に施肥装置を走行車体に取り付けた施肥装置付き乗用型田植機において、走行車体から取り出した動力を走行車体に軸受け支持した伝動軸と該伝動軸から自在継手を介して伝動される田植装置の入力軸とを介して田植装置へ伝達する伝動経路にあって前記伝動軸から施肥装置への伝動経路を分岐させた構成とし、該伝動軸から分岐させた後の施肥装置への伝動経路に、施肥装置を田植装置と共に駆動して施肥作業を田植作業と共に行う状態と施肥装置は駆動しないで田植装置を駆動して施肥作業をしないで田植作業をする状態とに切り替えるクラッチを設けたことを特徴とする施肥装置付き乗用型田植機としたものである。」と訂正する。
（ｃ）明細書の段落０００５の「【発明の作用及び効果】この発明は、上記構成としたから、施肥装置への伝動を簡潔に構成でき、且つ、施肥作業を田植作業と共に行う状態と施肥作業をしないで田植作業をする状態とに切り替えることも容易に行える。」を、「【発明の作用及び効果】この発明は、上記構成としたから、この種の施肥装置付き乗用型田植機にあって、施肥装置への伝動を、走行車体に支持した伝動系にて簡潔に構成でき、且つ、施肥作業を田植作業と共に行う状態と施肥作業をしないで田植作業をする状態とに切り替えることも容易に行える。」と訂正する。
イ．訂正の目的の適否、新規事項の有無、及び拡張・変更の存否
　上記訂正事項（ａ）は、特許明細書段落０００８および００１４に記載の記載に基づいて、田植装置を上下動可能に装着すること、走行車体から取り出した動力を田植装置へ伝達する伝達経路の構成を限定したものであるから特許請求の範囲の減縮を目的とするものである。
　上記訂正事項（ｂ）、（ｃ）は、上記特許請求の範囲の減縮に供のない、これと整合させるためのものであるから、明りょうでない記載の釈明を目的とするものである。
　そして、上記訂正は願書に添付した明細書または図面に記載された事項の範囲を越えるものとは認められないから、新規事項の追加に該当せず、また特許請求の範囲を実質的に拡張または変更するものではない。
ウ．むすび
　以上のとおりであるから、上記訂正は特許法等の一部を改正する法律（平成６年法律第１１６号。以下「平成６年改正法」という。）附則第６条第１項の規定によりなお従前の例によるとされる、平成１１年改正前の特許法第１２０条の４第３項で準用する平成６年改正法による改正前の特許法第１２６条第１項ただし書、第２項および第３項の規定に適合するので、当該訂正を認める。
（３）特許異議の申立てについて
ア．申立ての理由の概要
　申立人三菱農機株式会社は、証拠として甲第１号証（実願昭５５−１３４６６９号（実開昭５７−５９５２２号）の願書に最初に添付した明細書及び図面を撮影したマイクロフィルム）、甲第２号証（実願昭５６−１０８２０５号（実開昭５８−１３０２８号）の願書に最初に添付した明細書及び図面を撮影したマイクロフィルム）、甲第３号証（実願昭５５−１５９９３３号（実開昭５７−８２１２６号）の願書に最初に添付した明細書及び図面を撮影したマイクロフィルム）を提出し、請求項１に係る発明は、甲第１号証に記載の発明であるから、請求項１に係る発明の特許は、特許法第２９条第１項第３号の規定に違反してなされたものであり、また、請求項１に係る発明は、甲第１ないし３号証に記載された発明に基づいて当業者が容易に発明をすることができたものであるから、請求項１に係る発明の特許は、特許法第２９条第２項の規定に違反してなされたものであるから取り消されべきものである旨主張している。
イ．本件発明
　本件特許第２９２５７０３号の発明（以下、本件発明という。）は平成１２年８月２日付けで提出された訂正明細書及び図面の記載からみて、その特許請求の範囲に記載されたとおりのものであると認める。
「１．田植装置を走行車体に上下動可能に装着した乗用型田植機に施肥装置を走行車体に取り付けた施肥装置付き乗用型田植機において、走行車体から取り出した動力を走行車体に軸受け支持した伝動軸と該伝動軸から自在継手を介して伝動される田植装置の入力軸とを介して田植装置へ伝達する伝動経路にあって前記伝動軸から施肥装置への伝動経路を分岐させた構成とし、該伝動軸から分岐させた後の施肥装置への伝動経路に、施肥装置を田植装置と共に駆動して施肥作業を田植作業と共に行う状態と施肥装置は駆動しないで田植装置を駆動して施肥作業をしないで田植作業をする状態とに切り替えるクラッチを設けたことを特徴とする施肥装置付き乗用型田植機。」
ウ．甲第１ないし３号証記載の発明
　甲第１号証には、「（１７）は前車体（２）の前部に３点リンク機構（１８）を介して昇降自在に支持された植付部であり、（１９）はその苗載台、（２０）は苗載台（１９）から一株分の苗を取出して田面に植付ける植付爪、（２１）は前記苗載台（１９）及び植付爪（２０）を取付ける伝動ケース、（２２）はこのケース（２１）を支えるフロート、（２３）は前記ケース（２１）に取付ける前バンパーである。〜施肥装置は肥料を収納するホッパ−（２８）とこの肥料を田面内に連続的に埋入させて行く肥料埋込器（２９）と、これらホッパ−（２８）と肥料埋込器（２９）間を連結する肥料案内管（３０）とからなり、植付爪（２０）に対応させて数条分の肥料をその田面に施すことが出来るようになっている。〜又、第２図に示すようにホッパー（２８）の下部溜室（３２）には振動板（３３）及びブラシ（３４）を備えた肥料繰出しロール（３５）を内蔵し、ロール（３５）の回転時その表面に設けた汲出し溝（３６）でポッパ−（２８）の肥料を一定量宛繰出すようになっている。繰出しロール（３５）の軸（３７）は前記支持フレーム（３１）に軸支されており、苗載台横送り伝動ケースに軸架せる図示しないネジ軸からフレキシブルシャフト（３８）を介して駆動されるプリー（３９）からベルト（４０）で線出しロール（３５）は回転できるようになっている。（４１）はベルト（４０）のテンションローラであって、これによってクラッチ作用をもたせることが出来る。〜したがってホッパ−（２８）内に肥料を充填し、植付部（１７）を駆動させながら機体を走行させ植付けを行なう作業状態においては繰出ロール（３５）も前記した駆動機構で駆動されホッパ−（２８）内の肥料を定量づつ繰出すことになる。」（明細書２頁１７行〜５頁７行）と記載されている。
　甲第２号証（当審が取消理由に引用した刊行物１）には、「図は乗用型田植機であって、１が田植機本体であり、前後に車輪２，３を設けるとともに、その後部にアーム４を介して植付部５を牽引するように連結している。〜田植機本体１の中央部には運転席６が設けられており、この運転席６の左右両側部に肥料タンク７，７がそれぞれ設けられている。」（３頁下から３行〜４頁７行）、「肥料供給部における施肥ポンプ１０は、田植機本体１の後部に延長する植付部駆動軸１５から動力を入力し、変速装置１６を介して駆動されるようになっている。」（明細書６頁７〜１０行）と記載されている。
　甲第３号証（当審が取消理由に引用した刊行物２）には、「４個の取出し具（１３Ａ）・・のうちの前方の二つのもの（１３Ａ）、（１３Ａ）が前方の回転横軸（１５ａ）に連動可能に構成され、後方の二つのもの（１３Ｂ）、（１３Ｂ）が後方の回転横軸（１５ｂ）に連動可能に構成され、前記前後の回転横軸（１５ａ）、（１５ｂ）がチェーン（１６）にて連動連結されるとともに、前記後方の横軸（１５ｂ）が、植付ミッションケース（１７）に支承した駆動回転軸（１８）とチェーン（１９）にて連結されている。尚、前記駆動回転軸（１８）は、植付爪（７）・・の駆動速度に対する苗のせ台（６）の駆動速度をギヤ変速する機構（２０）の伝動下手がわ部分からの出力にて駆動回転されるようになっている。」（６頁７〜１９行）、「本考案は、冒記田植機の施肥装置において、前記複数個の取出し具（１３Ａ）〜の回転駆動を各別に断続し、且つ、停止した取出し具を前記タンク（８）と案内管との連通が遮断される所定回動位置で固定するように構成した複数個のクラッチ機構（２５）・・を、各別操作可能に設けるとともに、〜前記クラッチ機構（２５）が伝動接続状態になっているもの全てに対して伝動を一体的に断続し、且つ、停止した全ての取出し具（１３Ａ）・・を前記タンク（８）と案内管（１４ａ）・・との連通が遮断される所定回動位置で固定されるように構成したメインクラッチ機構（３４）を設けてある〜しかも、取出し具（１３Ａ）のうちのクラッチ機構（２５）が伝動接続状態にあるもの全てに対して一体的に回転駆動を断続し、且つ、停止した取出し具（１３Ａ）の全てをタンク（８）と案内管（１４ａ）との連通が遮断された所定回動位置で固定するように構成したメインクラッチ機構（３４）を設けてある」（明細書１０頁９行〜１１頁１８行）と記載されている。
　上記記載および第７，１０図の記載から、上記メインクラッチ機構（３４）は回転駆動可能とされている取出し具を断続するものであり、植付ミッションケース（１７）に支承した駆動回転軸（１８）とチェーン（１９）で連結された後方横軸（１５ｂ）に設けられ、植付ミッションケース（１７）から取出し具（１３Ａ）、（１３Ｂ）への回動駆動を断続するようにしている。
エ．特許法第２９条第１項第３号違反について
（対比・判断）
　本件発明と甲第１号証に記載の発明を対比すると、甲第１号証には、本件発明を特定するための事項である「走行車体から取り出した動力を走行車体に軸受け支持した伝動軸と該伝動軸から自在継手を介して伝動される田植装置の入力軸とを介して田植装置へ伝達する伝達経路にあって前記伝動軸から施肥装置への伝動経路を分岐させた構成」とすることについての記載がない。
　即ち、甲第１号証は、苗載台横送り伝動ケースに軸架せるネジ軸からフレキシブルシャフトを介して施肥装置へ伝達するものであって、走行車体から取り出した動力を田植装置へ伝達する伝動経路の途中から施肥装置への伝動経路を分岐させるものではなく、また、本件発明の「走行車体から取り出した動力を走行車体に軸受け支持した伝動軸と該伝動軸から自在継手を介して伝動される田植装置の入力軸とを介して田植装置へ伝達する伝達経路」についての記載もない。
　したがって、本件発明は、甲第１号証に記載された発明とすることはできない。
オ．特許法第２９条第２項違反について
（対比・判断）
　本件発明と甲第２号証に記載の発明を対比すると、甲第２号証には本件発明を特定するための事項である「走行車体から取り出した動力を走行車体に軸受け支持した伝動軸と該伝動軸から自在継手を介して田植装置へ伝達する伝達経路にあって前記伝動軸から施肥装置への伝動経路を分岐させた構成とし、該伝動軸から分岐させた後の施肥装置への伝動経路に、施肥装置を田植装置と共に駆動して施肥作業と田植作業をと共に行う状態と施肥装置は駆動しないで田植装置を駆動して施肥作業をしないで田植作業をする状態とに切り替えるクラッチを設けたこと」についての記載がない。
　甲第１、３号証には、施肥装置への伝動経路にクラッチを設けることは記載されているが、上記伝動経路は、田植装置から分岐するものであって、本件発明の田植装置への伝動経路から分岐するものとは相違し、しかも、走行車体から取り出した動力を走行車体に軸受け支持した伝動軸と該伝動軸から自在継手を介して伝動される田植装置の入力軸とを介して田植装置へ伝達することについての記載もない。
　そして、本件発明は、上記事項を備えることにより明細書記載の顕著な効果を奏するものであるから、甲第１ないし３号証に記載の発明に基づいて当業者が容易になし得たものとすることはできない。
カ．むすび
　以上のとおりであるから、特許異議申立ての理由および証拠によっては、本件発明の特許を取り消すことはできない。
　また、他に本件発明の特許を取り消すべき理由を発見しない。
　したがって、本件発明についての特許は拒絶の査定をしなければならない特許出願に対してなされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により結論のとおり決定する。
【異議決定日】
平成１２年９月２９日（２０００．９．２９）
【訂正の要旨】
　特許第２７４５２４５号の特許明細書を本件訂正請求書に添付の訂正明細書のとおりに訂正する。即ち、特許請求の範囲の減縮を目的として下記（ａ）のとおり訂正し、明りょうでない記載の釈明を目的として下記（ｂ）、（ｃ）のとおり訂正する。
（ａ）特許明細書の【特許請求の範囲】の、「１．田植装置を走行車体に装着した乗用型田植機に施肥装置を取り付けた施肥装置付き乗用型田植機において、走行車体から取り出した動力を田植装置へ伝達する伝動経路から施肥装置への伝動経路を分岐させた構成とし、該分岐後の施肥装置への伝動経路に、施肥装置を田植装置と共に駆動して施肥作業を田植作業と共に行う状態と施肥装置は駆動しないで田植装置を駆動して施肥作業をしないで田植作業をする状態とに切り替えるクラッチを設けたことを特徴とする施肥装置付き乗用型田植機。」を、「１．田植装置を走行車体に上下動可能に装着した乗用型田植機に施肥装置を走行車体に取り付けた施肥装置付き乗用型田植機において、走行車体から取り出した動力を走行車体に軸受け支持した伝動軸と該伝動軸から自在継手を介して伝動される田植装置の入力軸とを介して田植装置へ伝達する伝動経路にあって前記伝動軸から施肥装置への伝動経路を分岐させた構成とし、該伝動軸から分岐させた後の施肥装置への伝動経路に、施肥装置を田植装置と共に駆動して施肥作業を田植作業と共に行う状態と施肥装置は駆動しないで田植装置を駆動して施肥作業をしないで田植作業をする状態とに切り替えるクラッチを設けたことを特徴とする施肥装置付き乗用型田植機。」と訂正する。
（ｂ）明細書の段落０００４の、「【課題を解決するための手段】この発明は、上記課題を解決するために、田植装置を走行車体に装着した　乗用型田植機に施肥装置を取り付けた施肥装置付き乗用型田植機において、走行車体から取り出した動力を田植装置へ伝達する伝動経路から施肥装置への伝動経路を分岐させた構成とし、該分岐後の施肥装置への伝動経路に、施肥装置を田植装置と共に駆動して施肥作業を田植作業と共に行う状態と施肥装置は駆動しないで田植装置を駆動して施肥作業をしないで田植作業をする状態とに切り替えるクラッチを設けたことを特徴とする施肥装置付き乗用型田植機としたものである。」を、「【課題を解決するための手段】この発明は、上記課題を解決するために、田植装置を走行車体に上下動可　能に装着した乗用型田植機に施肥装置を走行車体に取り付けた施肥装置付き乗用型田植機において、走行車体から取り出した動力を走行車体に軸受け支持した伝動軸と該伝動軸から自在継手を介して伝動される田植装置の入力軸とを介して田植装置へ伝達する伝動経路にあって前記伝動軸から施肥装置への伝動経路を分岐させた構成とし、該伝動軸から分岐させた後の施肥装置への伝動経路に、施肥装置を田植装置と共に駆動して施肥作業を田植作業と共に行う状態と施肥装置は駆動しないで田植装置を駆動して施肥作業をしないで田植作業をする状態とに切り替えるクラッチを設けたことを特徴とする施肥装置付き乗用型田植機としたものである。」と訂正する。
（ｃ）明細書の段落０００５の「【発明の作用及び効果】この発明は、上記構成としたから、施肥装置への伝動を簡潔に構成でき、且つ、施肥作業を田植作業と共に行う状態と施肥作業をしないで田植作業をする状態とに切り替えることも容易に行える。」を、「【発明の作用及び効果】この発明は、上記構成としたから、この種の施肥装置付き乗用型田植機にあって、施肥装置への伝動を、走行車体に支持した伝動系にて簡潔に構成でき、且つ、施肥作業を田植作業と共に行う状態と施肥作業をしないで田植作業をする状態とに切り替えることも容易に行える。」と訂正する。
（５４）【発明の名称】
施肥装置付き乗用型田植機
（５７）【特許請求の範囲】
１．田植装置を走行車体に
上下動可能に
走行車体に
走行車体に軸受け支持した伝動軸と該伝動軸から自在継手を介して伝動される田植装置の入力軸とを介して
にあって前記伝動軸
伝動軸から
させた
【発明の詳細な説明】
　【０００１】
　【発明の属する技術分野】
　この発明は、施肥装置を装着した乗用型田植機に関するものである。
　【０００２】
　【従来の技術】
　従来、田植装置を走行車体に装着した乗用型田植機に施肥装置を取り付けた施肥装置付き乗用型田植機において、走行車体から取り出した動力を田植装置へ伝達する伝動経路から施肥装置への伝動経路を分岐させた構成としたものがあった。
　【０００３】
　【発明が解決しようとする課題】
　上記従来の施肥装置付き乗用型田植機は、施肥装置への伝動を簡潔に構成できるものであるが、常に、施肥装置を田植装置と共に駆動して施肥作業を田植作業と共に行うものとなる。ところで、田植作業をする圃場によっては施肥作業をしないで田植作業をすることもあり、この場合、施肥作業をしないで田植作業をする状態に切り替えなければならないが、上記従来のものでは、肥料を施肥装置から全て抜き取らなければならず、施肥作業をしないで田植作業をする状態に切り替えることが容易にできない問題があった。
　【０００４】
　【課題を解決するための手段】
　この発明は、上記課題を解決するために、田植装置を走行車体に
上下動可能に
走行車体に
走行車体に軸受け支持した伝動軸と該伝動軸から自在継手を介して
にあって前記伝動軸
伝動軸から
させた
　【０００５】
　【発明の作用及び効果】
　この発明は、上記構成としたから、
この種の施肥装置付き乗用型田植機にあって、
、走行車体に支持した伝動系にて
　【０００６】
　【実施例】
　第１図は本発明にかかる施肥装置付き乗用型田植機の一実施例を示す側面図、第２図はその平面図であり、この施肥装置付き乗用型田植機１のミッションケース２の前部にエンジン３が設置され、ミッションケース２の左右両側には後方へ突出するチェーンケース４が設けられている。チェーンケース４の後端部には後輪５が軸支されており、機体の前部には前輪６が変更可能に設けられている。そして、機体上にはエンジン３を覆うボンネット７及び機体の外周部にステップ部を有する機体カバー９を設け、該機体カバー９の後部には上方に立ち上がった立上り部９ａを設けてその上部に運転座席１０を配設し、平面視コ型のシートフレーム１１によって後輪５の上方に支持している。
　【０００７】
　この運転座席１０の側方で該座席と後述の田植装置４０との間の位置には、肥料タンク１３とともに施肥装置の本体を構成する肥料繰出装置１４が設けられている。繰出装置１４は、外周面上に溝１５ａが形成された繰出ロール１５，１５をそなえ、この繰出ロール１５の回転によって肥料タンク１３内の粒状肥料を適量づつホッパ１６内へ送り込むように構成されている。繰出装置１４は図示しない支持フレームよって機体に取り付けられており、両側の繰出装置１４，１４が座席後方を通した１本の回転軸１７によって互いに連結されている。
　【０００８】
　機体の後部には平行リンク装置２５が設けられている。平行リンク装置２５は、第３図に示すように前後の縦部材２６，２７と１本の上リンク２９および左右１対の下りンク３０，３０からなり、それぞれの部材が互いにピンで連結されている。上リンク２９には下向きの突起３１が設けられ、この突起３１が昇降装置３２の油圧シリンダ３３によってミッションケース２と連結されている。前縦部材２６の下端部は、左右のチェーンケース４，４を連結する連結パイプ３５に枢着されている。平行リンク装置２５の後端部には、ローリング軸３７を介して４条植えの田植装置４０が連結されている。昇降装置３２の油圧シリンダ３３を伸縮することにより、この田植装置４０を上下に移動させることができる。また、田植装置４０はローリング軸の回転によって左右に自在に回動することができる。
　【０００９】
　田植装置４０は、田植機枠を兼ねる伝動ケース４１をそなえ、該伝動ケース４１の上方に苗載置台４２が前側が上位となるように傾斜させた状態で左右に往復動自在に取り付けられている。４３は支柱４３ａによって支持されたガイドレールであり、苗載置台４２はこのガイドレール４３に沿って左右に移動する。伝動ケース４１の後部には、先端に苗植付爪４４を固着した苗植付杆４５と、該植付杆４５をその先端部が楕円軌道を描いて上下に揺動するように駆動する揺動クランク４６をそなえた植付装置４７が設けられている。また、伝動ケース４１の下方には、中央フロート５０と左右１対の側部フロート５１，５１がそれぞれ上下方向に回動可能に設けられている。５２は中央フロート５０の上下位置を検知する検知油圧バルブであって、中央フロート５０が上動して、この油圧バルブ５２のスプールを押し上げると、前記油圧シリンダ３３のピストンロッド３３ａが突出し、逆に中央フロート５０が下向きに回動ずると、上記ピストンロッド３３ａが引込むように構成されている。
　【００１０】
　田植装置４０の動力は、前記ミッションケース２から自在継手を介して伝動ケース４１内の伝動装置に伝えられ、苗載置台４２の横移動装置５４と植付装置４７を駆動する。苗載置台４２は、４個の植付杆４５に対応して４区に区分されている。作業中はそれぞれの区分に土付平板状の苗マットが載置され、苗載置台４２の横移動とともに植付杆４５が苗マットの下端部から１株分づつ苗を受け取り、圃場に植え付けてゆく。苗載置台４２が左右の移動範囲の端部に達したときは、縦送り装置によって苗マットが下方へ送られ、引続き植付けが行なわれる。なお、機体前部の両側部には、下端部が機体に固着された支柱５７によって支持された予備苗載置台５８が設けられている。
　【００１１】
　機体の前部の、エンジン設置位置の側面部には、送風機６０が取り付けられている。送風機６０としては、図示例ではターボファンが使用されており、エンジン３の出力軸３ａからプーリ６１，６２とベルト６３を介して取り出された動力により回転してエアホース６４を通してエアを供給する。プーリ６１，６２間にはテンションプーリ６５が設けられており、常時はバネ６６によってベルト６３に押し付けられ、ベルト６３に張力を付加しているが、バネ６６に抗してテンションプーリ６５を持ち上げれば、ベルト６３が弛んで送風機６０への動力の伝達が断たれるように構成されている。なお、送風機としては、ルーツブロワ等他の適当な機種を採用することもできる。
　【００１２】
　エアホース６４はステップ部材９の下側を通って、シートフレーム１１内に設置されているエアタンク７０に接続されている。シートフレーム１１はエアタンク７０保護用の囲いとして働く。エアタンク７０の４個の吐出口７１，７１…は、シートフレーム１１の側部に設けた穴から取り出したエアホース７２，７２…によってそれぞれ前記繰出装置１４のホッパ１６の直下部に設けた繰込装置７５に接続されている。繰込装置７５は、繰出装置１４によって繰り出されてくる肥料を搬送ホース７６，７６…内に導くためのもので、ホッパ１６の出口に臨む受器７７と接続管７９からなる。接続管７９の両端部にはエアーホース７２と搬送ホース７６がそれぞれ接続され、外周部には受器７７が接続される。
　【００１３】
　搬送ホース７６の下端部は、作溝器８０の内側に固定した排出口８１に接続されている。作溝器８０は、２枚の側板８０ａ，８０ｂと底板８０ｃによって舟方に形成され、前部に一体に立設した支持板８２によって上下位置調節可能に伝動ケース４１に取り付けられている。この作溝器８０は、その底部がフロート５０（５１）の底面よりも下位となるように支持され、機体の進行とともに圃場に施肥用の溝を成形してゆく。
　【００１４】
　つぎに、前記繰出装置１４に動力を伝達するための動力伝達装置９０について説明すれば、前記ミッションケース２の後部に伝動軸９１が突設され、軸受９２から後方に突出した端部が自在継手９３を介して田植装置の入力軸９４に連結されている。伝動軸９１から入力軸９４に伝達された回動動力は、傘歯車装置９５、プーリ９６，９７およびベルト９８を介して伝動ケース４１内の伝動装置に伝達され、田植装置４０を駆動する。
　【００１５】
　一方、前記伝動軸９１の、ミッションケース２と軸受９２に挾まれた中間部には鎖車１００が取り付けられている。また、伝動軸９１の上方には、該伝動軸９１に平行に従動軸１０１が設けられており、この従動軸の、シートフレーム１１内に位置する前端部に設けた鎖車１０２が前記伝動軸９１の鎖車１００とチェーン１０３で結ばれている。従動軸１０１の後端部は傘歯車装置１０５に接続されている。この傘歯車装置１０５は傘歯車１０６，１０７を介して回転動力を繰出装置入力軸１０９に伝達するもので、内部にクラッチ１１０が設けられている。クラッチ１１０はバネ１１１によって、入力軸１０９側に摺動自在に設けられている傘歯車１０７を他方の傘歯車１０６に噛合させる方向に付勢しているが、バネ１１１に抗してクラッチ１１０を後退させれば、両傘歯車１０６，１０７の噛合が解かれ、入力軸１０９への動力の伝達が断たれるように構成されている。
　【００１６】
　第４図は繰出装置駆動用のギャボックス１１５の説明図であり、入力軸１０９の端部に設けられた鎖車１１６が第１の中間軸１１７の鎖車１１９とチェーン１２０で結ばれ、第１の中間軸１１７の小ギャ１２１が第２の中間軸１２２の大ギャ１２３に、また第２の中間軸１２２の小ギャ１２４が繰出ロール１５用回転軸１７の大ギャ１２５にそれぞれ噛合している。傘歯車装置１０５を介して入力軸１０９に伝えられた動力は、ギャボックス１１５内のギャ列を介して回転軸１７に伝えられ、繰出ロール１５を回転させる。なお、図示例では１組の繰出装置１４内に２個の繰出ロール１５，１５’が設けられているが、他方の繰出ロール１５’の回転軸１２６は、ギャ１２７，１２９の噛合を介して回転させられる。また、機体の反対側の側部に設けられている繰出装置１４には、上記回転軸１７によって回転動力が伝達される。
　【００１７】
　この施肥装置付き乗用型田植機１の使用時には施肥タンク１３に肥料を投入し、エンジン３を起動して駆動輪である後輪５、繰出装置１４、送風機６０、田植装置４０等を駆動する。肥料タンク１３内の肥料は、繰出ロール１５によって適量づつホッパ１６内に繰り出され、繰込装置７５によって搬送ホース７６内に供給される。一方、搬送ホース７６にはエアタンク７０からエアが供給されているので、搬送ホース７６内に繰り込まれた肥料は、重力と、風力によって下方へ運ばれ、作溝器８０によって圃場に形成された溝内に確実に落し込まれるのである。施肥後の溝は、フロート５０，５１によって埋められ、その近傍に植付杆４５によって苗が植えられてゆく。
　【００１８】
　また、この施肥装置付き乗用型田植機１は、田植装置を走行車体に装着した乗用型田植機に施肥装置を取り付けた施肥装置付き乗用型田植機において、走行車体から取り出した動力を田植装置へ伝達する伝動経路から施肥装置への伝動経路を分岐させた構成とし、該分岐後の施肥装置への伝動経路に、施肥装置を田植装置と共に駆動して施肥作業を田植作業と共に行う状態と施肥装置は駆動しないで田植装置を駆動して施肥作業をしないで田植作業をする状態とに切り替えるクラタッチ１１０を設けた構成としたから、施肥装置への伝動を簡潔に構成でき、且つ、施肥作業を田植作業と共に行う状態と施肥作業をしないで田植作業をする状態とに切り替えることも容易に行える。
　【００１９】
　尚、上記の施肥装置を薬剤散布装置等として利用することができることは明らかである。
【図面の簡単な説明】
【図１】　施肥装置付き乗用型田植機の全体側面図
　【図２】　施肥装置付き乗用型田植機の全体平面図
　【図３】　平行リンク装置の説明図
　【図４】　ギヤボックスの説明図
　【符号の説明】
１：施肥装置付き乗用型田植機
１４：肥料繰出装置
４０：田植装置
９０：動力伝達装置
９１：伝動軸
１１０：クラッチ